(57)【特許請求の範囲】
【請求項１】
図柄表示装置を臨ませた装飾部材に、複数の可動体と、各可動体に対応して設けられた複数の駆動手段とを備え、駆動手段により対応の可動体を動作させることで遊技演出を行なう遊技機用の可動式演出装置であって、
第１連繋部材が取り付けられると共に、第１連繋部材に連結されたケース体を備える第１の可動体と、
前記装飾部材に配設されると共に前記第１連繋部材に連繋接続され、駆動により第１連繋部材を動作させる第１の駆動手段と、
前記ケース体に配設されると共に該ケース体に揺動可能に支持された第２連繋部材に連繋接続され、駆動時に第２連繋部材を揺動させる第２の駆動手段と、
前記ケース体に支持されると共に前記第２連繋部材に連繋接続され、該第２連繋部材の揺動に伴って動作する第２の可動体と、
前記装飾部材またはケース体に設けられたガイド部と、
前記装飾部材およびケース体において前記ガイド部とは反対側に自由回転可能に設けられて、該ガイド部に当接する転動部材とを備え、
前記第１の駆動手段の駆動時には、前記第１連繋部材が動作されると共に前記ガイド部に当接した前記転動部材の回転を伴って前記ケース体がガイド部に沿って移動することで、前記第１の可動体および第２の可動体の夫々が動作し、前記第２の駆動手段の駆動時には、該第２の可動体が動作するよう構成された
ことを特徴とする遊技機用の可動式演出装置。
【請求項２】
前記第２の駆動手段は、偏心軸を有するカム板が取り付けられると共に、前記第２の可動体は、前記ケース体に揺動可能に支持された支持軸に取り付けられて、
前記第２連繋部材に形成されたカム孔に前記カム板の偏心軸が挿入され、該第２連繋部材に形成された挿通孔に前記支持軸が挿入された請求項１記載の遊技機用の可動式演出装置。
【請求項３】
前記第１の駆動手段には、偏心軸を有する別のカム板が取り付けられ、
前記第１連繋部材には、前記別のカム板の偏心軸が挿入されるカム孔と、前記ケース体に揺動可能に支持される連結部とが形成される請求項１または２記載の遊技機用の可動式演出装置。
【請求項４】
前記転動部材は、前記ケース体の下部位置に自由回転可能に設けられて、前記装飾部材に設けられた前記ガイド部に、前記転動部材が当接支持された請求項１〜３何れか一項に記載の遊技機用の可動式演出装置。
【発明の詳細な説明】
【技術分野】
【０００１】
本発明は、複数設けた可動体を動作させることで多様な遊技演出を行ない得るよう構成された遊技機用の可動式演出装置に関するものである。
【背景技術】
【０００２】
代表的な遊技機であるパチンコ機は、機内にセットされる遊技盤の盤面に画成した遊技領域の略中央位置に装飾部材(センター役物とも称される)が配設されて、該装飾部材に開設した開口部に、各種図柄を変動および停止表示させて所要の図柄変動ゲームを行なう図柄表示装置を臨ませるよう構成される。そして、前記遊技盤の盤面(遊技領域)に打出されたパチンコ球(遊技球)が、前記装飾部材の下方位置に配設した始動入賞装置に入賞することにより、前記図柄表示装置での図柄変動ゲームが行なわれるようになっている。また、多くのパチンコ機では、前記装飾部材に、所要の動作を行なう可動体を備えた可動式の演出装置が配設されており、該可動体を前記図柄表示装置での図柄変動ゲームに合わせて動作させることにより演出効果を向上させ、遊技の興趣を増大するようにしたパチンコ機も知られている。
【０００３】
例えば、特許文献１には、図柄表示装置の前側を移動可能な２本の棒状部材(可動体)を設け、一方の棒状部材を、左右方向に延在して上下方向に移動し得るよう構成し、他方の棒状部材を、上下方向に延在して左右方向に移動し得るよう構成した可動式演出装置が提案されている。また、特許文献１の可動式演出装置では、装飾部材(装置本体)の裏側に前記２本の棒状部材に対応する２つの駆動モータ(駆動手段)が設けられており、駆動モータを個別に駆動することで、前記２本の棒状部材を夫々独立して移動させ得るようになっている。すなわち、前記駆動モータを駆動して各対応の棒状部材を移動させることで、多様な遊技演出を行ない得るよう構成されている。
【特許文献１】特開２００４−４９６０４号公報
【発明の開示】
【発明が解決しようとする課題】
【０００４】
ところで、前記特許文献１の可動式演出装置のように、装置本体における異なる位置に可動体および駆動手段を複数配設する構成は、各可動体に夫々独立した動作を行なわせて遊技演出するには特に問題が生ずることはない。しかしながら、遊技演出の態様によっては、装置本体に動作可能に配設した可動体(以下第１の可動体という)に対して別の可動体(以下第２の可動体という)を動作可能に配設して、該第１の可動体および第２の可動体に関連した動作を行なわせることにより、よりリアリティーに富んだ動作が可能な可動式演出装置が望まれる。この場合に、前記第１の可動体の動作に合わせて移動する第２の可動体を、前記装置本体に配設した駆動手段により動作させることは困難である。すなわち、第２の可動体と、対応する駆動手段とを連繋接続する機構が複雑化するため、可動式演出装置の大型化を招来して、設置スペースの限られるパチンコ機等の遊技機への搭載が困難となると共に、製造コストが増大する問題を招来する。なお、１つの駆動手段により第１および第２の可動体の夫々を動作させるよう構成すれば、可動式演出装置の小型化や製造コストの低減に寄与し得るが、この場合には、第１および第２の可動体に一定の動作しか行なわせ得ないから、複雑で多彩な演出を行ない得ない欠点がある。
【０００５】
そこで、本発明は、第１の可動体に対して第２の可動体を配設すると共に、各可動体に対応して駆動手段を設けて、簡単かつ安価な構成で、多彩な遊技演出が可能な遊技機用の可動式演出装置を提供することを目的とする。
【課題を解決するための手段】
【０００６】
前記課題を克服し、所期の目的を好適に達成するため、本発明に係る遊技機用の可動式演出装置は、
図柄表示装置(17)を臨ませた装飾部材(20)に、複数の可動体(36,37)と、各可動体(36,37)に対応して設けられた複数の駆動手段(40,41)とを備え、駆動手段(40,41)により対応の可動体(36,37)を動作させることで遊技演出を行なう遊技機用の可動式演出装置であって、
第１連繋部材(43)が取り付けられると共に、第１連繋部材(43)に連結されたケース体(50)を備える第１の可動体(36)と、
前記装飾部材(20)に配設されると共に前記第１連繋部材(43)に連繋接続され、駆動により第１連繋部材(43)を動作させる第１の駆動手段(40)と、
前記ケース体(50)に配設されると共に該ケース体(50)に揺動可能に支持された第２連繋部材(57)に連繋接続され、駆動時に第２連繋部材(57)を揺動させる第２の駆動手段(41)と、
前記ケース体(50)に支持されると共に前記第２連繋部材(57)に連繋接続され、該第２連繋部材(57)の揺動に伴って動作する第２の可動体(37)と、
前記装飾部材(20)またはケース体(50)に設けられたガイド部(26,55)と、
前記装飾部材(20)およびケース体(50)において前記ガイド部(26,55)とは反対側に自由回転可能に設けられて、該ガイド部(26,55)に当接する転動部材(52)とを備え、
前記第１の駆動手段(40)の駆動時には、前記第１連繋部材(43)が動作されると共に前記ガイド部(26,55)に当接した前記転動部材(52)の回転を伴って前記ケース体(50)がガイド部(26,55)に沿って移動することで、前記第１の可動体(36)および第２の可動体(37)の夫々が動作し、前記第２の駆動手段(41)の駆動時には、該第２の可動体(37)が動作するよう構成されたことを要旨とする。
【０００７】
このように、第２の可動体および第２の駆動手段の夫々を第１の可動体に配設したことで、第１の可動体の動作時に第２の可動体を動作させることができるから、可動式演出装置全体としてリアリティーに富んだ動作を行なわせ得る。また、第２の駆動手段を第１の可動体に配設したことで、該第２の駆動手段と第２の可動体とを簡単な接続機構により連繋接続することができる。従って、可動式演出装置の大型化や製造コストの増大を防止し得る利点がある。更に、前記第１の可動体に自由回転可能に設けた転動部材を、装置本体に設けたガイド部材で当接支持するよう構成したことで、第１の可動体の移動時には転動部材がガイド部材上を転動する。従って、第２の可動体や第２の駆動手段を設けたことにより前記第１の可動体が重量物となった場合であっても、該第１の可動体をスムーズに移動させ得る。このため、前記第１の可動体を動作させる第１の駆動手段として、トルクの大きなものを採用する必要がなく、安価な汎用の駆動手段を用いることができ、製造コストを低減し得る。
【０００８】
請求項２に係る遊技機用の可動式演出装置は、前記第２の駆動手段(41)は、偏心軸(41b)を有するカム板(41a)が取り付けられると共に、前記第２の可動体(37)は、前記ケース体(50)に揺動可能に支持された支持軸(62)に取り付けられて、
前記第２連繋部材(57)に形成されたカム孔(57a)に前記カム板(41a)の偏心軸(41b)が挿入され、該第２連繋部材(57)に形成された挿通孔(57b)に前記支持軸(62)が挿入されたことを要旨とする。
【０００９】
このように、前記第２の駆動手段を第１の可動体に備えるケース体に配設してあるから、第２の可動体の動作を除いては第２の駆動手段および第２の可動体の相対的な位置関係が変化しない。従って、第２の駆動手段と第２の可動体とを簡単な接続機構(第２カム板、第２連繋部材)を介して確実に連繋接続することができ、可動式演出装置の大型化や製造コストの増大を防止し得る。
【００１０】
請求項３に係る遊技機用の可動式演出装置は、前記第１の駆動手段(40)には、偏心軸(40b)を有する別のカム板(40a)が取り付けられ、
前記第１連繋部材(43)には、前記別のカム板(40a)の偏心軸(40b)が挿入されるカム孔(43a)と、前記ケース体(50)に揺動可能に支持される連結部(44)とが形成されることを要旨とする。
【００１１】
請求項４に係る遊技機用の可動式演出装置は、前記転動部材は、前記ケース体(50)の下部位置に自由回転可能に設けられて、前記装飾部材(20)に設けられた前記ガイド部(26)に、前記転動部材(52)が当接支持されたことを要旨とする。
【発明の効果】
【００１２】
本発明に係る遊技機用の可動式演出装置によれば、第１の可動体に対して第２の可動体を配設すると共に、各可動体に対応して駆動手段を設けることで、簡単かつ安価な構成で、多彩な遊技演出が可能となる。
【発明を実施するための最良の形態】
【００１３】
次に、本発明に係る遊技機用の可動式演出装置につき、好適な実施例を挙げて、添付図面を参照しながら、以下詳細に説明する。なお実施例では、遊技球としてパチンコ球を使用する一般的なパチンコ機を例にして説明する。また、以下の説明において前・後および左・右とは、特に断りのない限り、図１に示すようにパチンコ機の遊技盤１０を正面側から見た場合において指称するものとする。
【実施例】
【００１４】
図１に示すように、実施例に係るパチンコ機の遊技盤１０は、略円形状に湾曲形成したレール１１により遊技領域１０ａが画成され、その略中央位置に図柄表示装置１７を後方から臨ませた装飾部材２０が配設されている。前記遊技盤１０における装飾部材２０の下方には、パチンコ球検出用のスイッチ(図示せず)を備えた始動入賞具１２,１２が上下に離間する２箇所に設けられており、該始動入賞具１２,１２にパチンコ球が入賞することで、図柄表示装置１７において図柄変動ゲームが開始されて、その結果、特定の図柄組合わせ(例えば、同一図柄の三つ揃)が表示されると、遊技者に有利な特別遊技(所謂大当り)が発生するようになっている。前記始動入賞具１２,１２の下方位置には、特別入賞口１４に設けられた扉状の開閉板１５が、後側の電磁ソレノイド(図示せず)の駆動に伴って通常の閉鎖状態から開放状態に変化し得るよう構成された大型電動式の特別入賞装置１３が配設されており、特別遊技の発生により開閉板１５を開放してパチンコ球が特別入賞口１４に入賞することで、球皿(図示せず)に賞球が払出されるようになっている。なお、遊技盤１０の最下方位置には、始動入賞具１２,１２や特別入賞装置１３に入賞しないパチンコ球を排出するアウト口１６を設けてある。
【００１５】
前記装飾部材２０は、図１または図２に示すように、前記遊技領域１０ａの大部分を占める大型部材であって、前記図柄表示装置１７を臨ませる第１可視表示部２１ａを開設した枠状本体２１を、遊技盤１０に開設した装着孔(図示せず)に前側から挿入した状態で、遊技盤１０に対してネジ止め固定される。なお、前記装飾部材２０における前記第１可視表示部２１ａの右側には、第２可視表示部２１ｂが開設されており、該第２可視表示部２１ｂを介して各種演出表示が可能な小型の表示装置１８を後方から望ませる。すなわち、実施例では前記図柄表示装置１７での図柄変動ゲームに合わせて前記表示装置１８により所要の演出表示を行なうことにより、多彩な演出を行ない得るようになっている。
【００１６】
また、前記枠状本体２１における前記第１可視表示部２１ａの上方位置には、設置部２２が設けられており、該設置部２２に可動式演出装置３４(後述)が配設される。前記設置部２２は、図３に示すように、装飾部材２０の前面をなす装飾板２３と、該装飾板２３の裏側に所要距離離間する位置に設けられた支持板２４とからなり、該装飾板２３と支持板２４との間に所要の空間部２５が画成されている。ここで、前記設置部２２(支持板２４)の下方位置には、空間部２５側に水平に延出する下ガイド部２６(ガイド部)が左右方向に延在するよう形成されると共に、支持板２４における下ガイド部２６から上方へ所要距離だけ離間した位置には、同様に空間部２５側に水平に延出して左右方向に延在する規制片２７が形成されており、該下ガイド部２６と規制片２７との間を、前記可動式演出装置３４の後述するケース体５０が移動するよう構成される。また、前記支持板２４の規制片２７の下方位置には、前後に延在する支軸を介して第１ローラ(転動部材)２８が自由回転可能に枢支されている。なお、前記設置部２２および支持板２４には、前記下ガイド部２６と規制片２７との間に、前後に開口する開口部２３ａ,２４ａを夫々開設してある。
【００１７】
前記支持板２４の裏側には、後述するケース体５０を囲繞するコ字状に形成された配線押え部材３０(図４参照)が取付けられており、該配線押え部材３０に、後述する配線６７を固定的に保持する第１の配線ガイド３１と、後述する配線６８を所要範囲での移動を許容するよう保持する第２の配線ガイド３２とが形成されている。ここで、前記第１の配線ガイド３１は、左右方向に開口して配線６７を挿通する通孔３１ａが開設され、該第１の配線ガイド３１を画成する弾性変形可能な一対の保持片３１ｂ,３１ｂにより配線６７を押えることで、当該配線６７を固定的に保持し得るよう構成される。一方、前記第２の配線ガイド３２は、挿通する配線６８の太さに較べて十分に大きな開口領域を有する通孔３２ａを備えており、該通孔３２ａに配線６８を挿通することで、配線６８の移動を許容し、かつ当該配線６８を一定位置に保持するようになっている。
【００１８】
前記可動式演出装置３４は、前記設置部２２(装飾板２３)の前側に配置される可動装飾部３５と、該装飾板２３の後側に配置される駆動機構部３９とから基本的に構成されて(図５参照)、設置部２２に開設した開口部２３ａ,２４ａを介して可動装飾部３５と駆動機構部３９とを連繋接続し得るようになっている。ここで、前記可動装飾部３５は、競走馬および騎手を模した第１の可動体３６、およびムチを持った左手を模した第２の可動体３７からなり、第１の可動体３６(具体的には後述するケース体５０)に第２の可動体３７を設けるよう構成されている。また、前記駆動機構部３９は、前記支持板２４(装飾部材２０)に配設されて、前記第１の可動体３６に連繋接続する第１のモータ４０(第１の駆動手段)と、第１の可動体３６(具体的には後述するケース体５０)に配設されて、前記第２の可動体３７に連繋接続する第２のモータ４１(第２の駆動手段)とからなり、該第１のモータ４０を駆動することで第１の可動体３６が動作し、第２のモータ４１を駆動することで第２の可動体３７が動作するようになっている。
【００１９】
前記第１の可動体３６は、図６または図７に示すように、左端部近傍の裏側に第１連繋部材４３が固定され、前記設置部２２の開口部２３ａ,２４ａを介して第１連繋部材４３が前記空間部２５内に臨むようになっている。ここで、前記第１連繋部材４３には、上下方向に延在する第１カム孔４３ａが形成されて、該第１カム孔４３ａに前記第１のモータ４０の回転軸に取付けた第１カム板４０ａの偏心軸４０ｂが挿入されている。すなわち、前記第１のモータ４０の回転駆動により前記第１カム板４０ａが回転し、その偏心軸４０ｂが前記第１カム孔４３ａ内を移動することで前記第１連繋部材４３(第１の可動体３６)が変位するようになっている。なお、前記第１カム板４０ａの端縁部には、図示しないスリットが形成されており、該スリットを前記第１のモータ４０の近傍に配設した第１位置検出センサ４６(図５、図７または図９参照)が検出することで、第１の可動体３６の原位置を検出するよう構成される。なお、図６または図８(a)に示すように、前記第１の可動体３６は、原位置では前記偏心軸４０ｂが右端部に位置して前記設置部２２の右寄り位置に保持される。ここで、図８に示す一点鎖線は、第１の可動体３６を原位置に保持した際にケース体５０(規制板５４)の後端部位置を示す基準線であり、前記第１のモータ４０の駆動時における第１の可動体３６(ケース体５０)の位置関係を容易に理解し得るようにしてある。なお、実施例では、前記第１のモータ４０および第１位置検出センサ４６に接続する配線６７は、前記配線押え部３０における第１の配線ガイド３１に保持されている。
【００２０】
また、前記第１連繋部材４３には、右方に延在する連結部４４が形成されており、該連結部４４を前記ケース体５０の左端部に枢支するようになっている。なお、前記連結部４４の右上端部は円弧状に面取りされると共に、右下端部が角張った形状に形成されており、常にはケース体５０の左端面に連結部４４の右端面が当接することで連結部４４が略水平方向に延在し、前記第１のモータ４０の回転駆動時に連結部４４が上側へ揺動するのを許容するようになっている(図８(a),(b)参照)。
【００２１】
ここで、前記ケース体５０は、上下に開放する略矩形箱状に形成されて(図５または図７参照)、前記支持板２４の開口部２４ａを介してその一部が前記空間部２５に臨むよう配置される。そして、前記ケース体５０の前板５０ａにおける所要位置から前方へ延出させた軸部５０ｃ(図６参照)に、前記第１の可動体３６の右端部近傍が枢支されており、該軸部５０ｃと前記第１連繋部材４３とを介して第１の可動体３６の姿勢を保持するようになっている。なお、前記第２のモータ４１は、前記ケース体５０の左側に配設されて、前記第２の可動体３７はケース体５０の右側に配設されている。
【００２２】
また、前記ケース体５０において前記空間部２５内に臨む前板５０ａの下部には、下方に延出する一対の支持片５１が前後に離間して形成されており、両支持片５１,５１に前後に延在する支軸を介して第２ローラ５２(転動部材)が自由回転し得るよう枢支されている。前記第２ローラ５２は、前記支持板２４に形成した前記下ガイド部２６上に当接するよう構成されて、前記ケース体５０の移動時に第２ローラ５２が下ガイド部２６上を転動することで、該ケース体５０が下ガイド部２６に沿って左右方向に移動し得るようになっている。一方、前記ケース体５０における前板５０ａの上部には、図６に示すように、上方へ延出する一対の固定片５３,５３が左右方向に離間して設けられると共に、両固定片５３,５３の上端を略水平な規制板５４で連結するよう構成される。前記規制板５４には、左右方向の略全長に亘って後方へ突出する上ガイド部５５(ガイド部)が形成されている。前記上ガイド部５５は、前記支持板２４に形成した前記規制片２７と第１ローラ２８との間に臨んで、該上ガイド部５５の下面が第１ローラ２８に当接するよう構成され、前記ケース体５０の移動時に上ガイド部５５が当接する第１ローラ２８が回転することで、該ケース体５０の左右方向への移動が円滑になされるようになっている。
【００２３】
具体的には、前記原位置から第１のモータ４０を駆動(図５または図８において反時計回りに回転)して前記第１カム板４０ａの偏心軸４０ｂが左方向へ移動すると、該偏心軸４０ｂが第１連繋部材４３を左方向へ変位させ、これに伴って第１連繋部材４３に連結されたケース体５０が左方向へ移動する。このとき、上ガイド部５５および下ガイド部２６に当接する前記第１ローラ２８および第２ローラ５２が回転する。更に、第１のモータ４０を駆動すると、前記第１カム孔４３ａの上端縁に前記偏心軸４０ｂが到来して第１連繋部材４３を左方向へ変位させつつ、前記軸部５０ｃを中心として第１連繋部材４３を上方へ変位させる。更に第１のモータ４０が駆動すると、前記偏心軸４０ｂが下方に移動して第１連繋部材４３を左方向へ変位させつつ、前記軸部５０ｃを中心として第１連繋部材４３を下方へ変位させる。なお、前記ケース体５０は、前記第１連繋部材４３が左方向へ変位するのに伴って前記上ガイド部５５および下ガイド部２６に沿って左方向へ移動する。更に、第１のモータ４０を駆動して前記偏心軸４０ｂが最も左側に臨む位置を越えて回転移動すると、該偏心軸４０ｂが右方向へ移動する。これにより、前記偏心軸４０ｂが第１連繋部材４３を右方向へ変位させ、これに伴って第１連繋部材４３に連結されたケース体５０も右方向へ移動する。このとき、前述と同様に、前記第１および第２ローラ２８,５２の夫々は、対応する上下のガイド部５５,２６との当接により回転する。そして、前記第１位置検出センサ４６が前記第１カム板４０ａのスリットを検出することで、第１の可動体３６(第１カム板４０ａ)が原位置に復帰したことが確認される。
【００２４】
また、図６に示すように、前記ケース体５０の前板５０ａには、長手方向に沿って延在する第２カム孔５７ａが左端部近傍に形成されると共に短手方向に延在する挿通孔５７ｂが右端部近傍に形成された第２連繋部材５７が、その略中央位置で揺動自在に枢支されている。前記第２カム孔５７ａには、前記第２のモータ４１の回転軸に取付けた第２カム板４１ａの偏心軸４１ｂが挿入されており、該第２のモータ４１の駆動により第２連繋部材５７が揺動するようになっている。なお、前記第２カム板４１ａには、図示しないスリットが形成されており、該スリットを前記第２のモータ４１の近傍に配設した第２位置検出センサ５９(図９参照)が検出することで、該第２カム板４１ａ(第２の可動体３７)の原位置を検出するようになっている。具体的には、前記第２カム板４１ａが原位置にある状態では、前記第２連繋部材５７は左から右方向へ向けて上方傾斜する姿勢に保持されて、該第２連繋部材５７に連繋される前記第２の可動体３７を上下方向に延在するよう保持する。
【００２５】
前記ケース体５０の後板５０ｂには、右端部近傍に前方へ向けて支ピン(図示せず)が突設されると共に、該支ピンの先端部に揺動板６１(図７参照)が自在に揺動可能に支持され、揺動板６１に前方へ向けて延出するよう形成した支持軸６２(図５参照)の前端部に前記第２の可動体３７が取付けられている。図５に示すように、前記支持軸６２は、前記第２連繋部材５７の挿通孔５７ｂに挿通されており、該第２連繋部材５７の揺動により支持軸６２の傾斜方向が変位し、これにより前記第２の可動体３７が動作するようになっている。すなわち、前記第２のモータ４１の駆動により前記第２カム板４１ａが回転し、その偏心軸４１ｂが第２カム孔５７ａを移動することで前記第２連繋部材５７が揺動し、該第２連繋部材５７の揺動に伴って前記挿通孔５７ｂが上下方向に移動することで、前記支持軸６２の傾斜角度が変化して、前記第２の可動体３７が揺動する。なお、図６または図７において、符号６４は前記揺動板６１に突設された姿勢保持ピンであり、符号６５はケース体５０の前板５０ａに形成されて姿勢保持ピン６４が挿入される円弧状のガイド孔であり、前記支持軸６２の周方向への回転を支持軸６２の傾斜角度の変化に応じて規制することで、前記第２の可動体３７を所定範囲で姿勢変化させるようになっている。
【００２６】
また、実施例では、前記第２のモータ４１および第１位置検出センサ４６に接続する配線６８が、前記配線押え部３０における第２の配線ガイド３２に遊挿されており、前記ケース体５０の移動による配線６８の移動を許容するよう構成されている。更に、図９に示すように、前記第１のモータ４０および第１位置検出センサ４６に接続された配線６７、および前記第２のモータ４１および第２位置検出センサ５９に接続された配線６８の夫々は、単一のコネクタ差込部６９に接続するよう構成されており、該単一のコネクタ差込部６９を制御装置７０に設けたコネクタ受部７１に接続するようになっている。なお、実施例では、前記制御装置７０は、前記表示装置１８の後方に配置してある。
【００２７】
〔実施例の作用〕
次に、実施例に係る遊技機用の可動式演出装置の作用につき説明する。前記遊技盤１０の遊技領域１０ａに打出されたパチンコ球が前記始動入賞具１２,１２に入賞すると、前記図柄表示装置１７において所要の図柄変動ゲームが行なわれる。このとき、所定の条件が成立すると、前記制御装置７０から第１のモータ４０や第２のモータ４１に対して制御信号が送信されて、対応する第１の可動体３６および第２の可動体３７が動作する。
【００２８】
前記第１のモータ４０の駆動により、該第１のモータ４０の回転軸に取付けた第１カム板４０ａが回転し、該第１カム板４０ａの偏心軸４０ｂが前記第１連繋部材４３を左方向へ変位させ、これに伴って第１連繋部材４３に連結されたケース体５０が左方向へ移動する。更に、前記第１カム板４０ａが回転すると、前記第１連繋部材４３が左方向へ移動しつつ上方へ変位し、その後下方に変位すると共に、前記ケース体５０が左方向へ移動し、更にその後に、第１連繋部材４３およびケース体５０の夫々が右方向へ移動して原位置に復帰する。このとき、前記第１連繋部材４３は前記第１の可動体３６の裏側に固定されているため、該第１の可動体３６は、第１連繋部材４３の左右方向への移動に伴って移動すると共に、上下方向の移動に伴って傾斜変位する。
【００２９】
また、前記ケース体５０には、前記ケース体５０に第２の可動体３７を配設してあるから、該ケース体５０の左右方向への移動に伴って第２の可動体３７も左右方向へ移動する。また、前記ケース体５０には、前記第２の可動体３７を動作させる第２のモータ４１が配設されているから、該ケース体５０が左右方向に移動しているときに第２のモータ４１を駆動して前記第２カム板４１ａを回転させると、偏心軸４１ｂの移動により前記第２連繋部材５７が揺動し、該第２連繋部材５７の揺動に伴って前記第２の可動体３７が動作する。このように、第２の可動体３７および第２のモータ４１の夫々を、第１の可動体３６の動作に合わせて移動するケース体５０に配設したことで、第１の可動体３６の動作時に第２の可動体３７を動作させることができるから、演出装置全体としてリアリティーに富んだ動作を行なわせ得る。
【００３０】
ここで、前記第２のモータ４１を支持板２４(装飾部材２０)に設けた場合には、第１の可動体３６(ケース体５０)の移動により、第２の可動体３７および第２のモータ４１の相対的な位置関係が変化することで、両部材３７,４１の連繋接続に不具合が生ずる虞があり、不具合を解消するためには連繋接続する機構の複雑化を招来する。これに対し、実施例では、前記第２のモータ４１を第１の可動体３６に伴って移動するケース体５０に配設してあるから、第２の可動体３７の動作を除いては両部材３７,４１の相対的な位置関係が変化しない。従って、第２のモータ４１と第２の可動体３７とを簡単な接続機構(第２カム板４１ａ、第２連繋部材５７)を介して確実に連繋接続することができ、可動式演出装置３４の大型化や製造コストの増大を防止し得る。
【００３１】
また、前記ケース体５０の下部位置に第２ローラ５２を自由回転可能に設け、該第２ローラ５２を装飾部材２０(支持板２４)に形成した下ガイド部２６で当接支持するよう構成してある。すなわち、前記ケース体５０が左右方向に移動するに際し、前記第２ローラ５２が前記下ガイド部２６上を転動することにより、前記第２の可動体３７および第２のモータ４１を配設することでケース体５０が重量物となった場合であっても、該ケース体５０を小さな力で容易に移動することができる。このため、前記第１の可動体３６を動作させる第１のモータ４０として、トルクの大きなものを採用する必要がなく、安価な汎用のモータを採用できるから、製造コストを低減し得る。また、前記ケース体５０に、前記第２の可動体３７、第２のモータ４１および第２ローラ５２の夫々を組付けてユニット化してあるから、可動式演出装置３４の組付け作業を簡略化し得る利点もある。
【００３２】
更に、実施例では、前記装飾部材２０(支持板２４)の上部位置に第１ローラ２８を自由回転可能に設け、前記ケース体５０の上部位置に形成した上ガイド部５５の下面に第１ローラ２８が当接するよう構成してある。従って、前記ケース体５０が左右方向に移動するに際して、前記上ガイド部５５の移動に伴って前記第１ローラ２８が回転することにより、ケース体５０もよりスムーズに移動させることができ、ケース体５０をより小さな力で移動させ得る利点がある。また、ケース体５０の上部位置を支持する前記第１ローラ２８が前記上ガイド部５５の下面で回転することで、ケース体５０の移動時に発生する抵抗を極力低減することができる。なお、前記ケース体５０の上ガイド部５５の上方に、前記装飾部材２０(支持板２４)に形成した規制片２７が位置するよう構成したことで、該ケース体５０が上方向に移動するのを規制でき、第１および第２の可動体３６,３７に所定の動作を行なわせることが可能となる。
【００３３】
また、パチンコ機の裏側には多数の配線が設けられるため、一般に絡まったりするのを防止するため配線は所定位置に固定的に保持される。しかしながら、実施例のように、前記第２のモータ４１や第２位置検出センサ５９をケース体５０に配設した場合には、該第２のモータ４１や第２位置検出センサ５９に接続する配線６８をケース体５０の移動に伴って移動させる必要がある。そこで、実施例では、前記配線６８を第２の配線ガイド３２に遊挿することで、該配線６８の所定範囲での移動をスムーズに行ない得ると共に、当該配線６８を所定位置に保持して他の配線と絡まるのを防止することが可能となる。また、前記ケース体５０の移動に伴って移動しない第１のモータ４０および第１位置検出センサ４６に接続する配線６７は、第１の配線ガイド３１に固定的に保持しているから、該配線６７が他の配線と絡まり合うのを確実に防止することができる。
【００３４】
更に、実施例では、前記第１のモータ４０および第１位置検出センサ４６に接続した配線６７、および前記第２のモータ４１および第２位置検出センサ５９に接続した配線６８の夫々を単一のコネクタ差込部６９に接続するよう構成し、該コネクタ差込部６９を制御装置７０に設けたコネクタ受部７１に差込み接続するようにしたから、これら各モータ４０,４１および位置検出センサ４６,５９と制御装置７０との接続作業を容易に行ない得る。また、単一のコネクタ差込部６９を制御装置７０のコネクタ受部７１に接続するだけなので、前記モータ４０,４１および位置検出センサ４６,５９の配線に対応してコネクタ差込部を設けて個別に接続するよう構成した場合に較べて、差し違えを確実に防止し得る利点もある。
【００３５】
(変更例)
なお、本発明に係る遊技機用の可動式演出装置としては、前述した実施例のものに限られるものではなく、種々の変更が可能である。例えば、実施例では、第１の可動体に対して１つの第２の可動体を配設するよう構成したが、第２の可動体を２つ以上配設してもよい。また、１つの可動式演出装置に複数の第１の可動体を設けることも可能である。
【００３６】
実施例では、ケース体の下部位置に転動部材(第２ローラ)を配設して装飾部材のガイド部(下ガイド部)に当接させると共に、装飾部材の上方位置に転動部材(第１ローラ)を配設してケース体のガイド部(上ガイド部)に当接させるよう構成したが、何れか一方のみであってもよい。また、ケース体の下部位置に転動部材(第２ローラ)を配設すると共に、装飾部材にガイド部(下ガイド部)を形成するよう構成したが、ケース体の下部位置にガイド部を形成すると共に、装飾部材に転動部材を設けるようにしてもよい。
【００３７】
実施例では、転動部材としてローラを用いた例を示して説明したが、これに限定され得ものではなく、自由回転可能なボールを採用した場合でも、実施例と同様の作用効果を得ることができる。
【００３８】
また、各可動体と対応の駆動手段とを連繋接続する構成は、実施例のものに限られず、従来公知の各種手段により連繋接続することができ、各可動体の動作に応じて任意に変更することができる。
【００３９】
なお、本発明に係る遊技機用の可動式演出装置に関しては、以下に示す具体的構成に限定することが可能である。
請求項１〜３の何れかに記載の遊技機用の可動式演出装置に関し、前記第１の可動体(36)は、その裏側に一体的に移動するケース体(50)を備え、該ケース体(50)に前記転動部材(52)、第２の可動体(37)および第２の駆動手段(41)の夫々を組付ける。
このように、第１の可動体のケース体に、前記転動部材、第２の可動体および第２の駆動手段の夫々を組付けてユニット化することで、可動式演出装置の組付け作業を簡略化し得る。
【図面の簡単な説明】
【００４０】
【図１】実施例に係る可動式演出装置を配設した遊技盤を示す正面図である。
【図２】実施例に係る可動式演出装置を備えた装飾部材を示す斜視図である。
【図３】実施例に係る装飾部材を設置部で縦断した状態を概略で示す側面図である。
【図４】実施例に係る装飾部材の要部側面図である。
【図５】実施例に係る可動式演出装置を正面側から視た状態を示す斜視図である。
【図６】実施例に係る可動式演出装置を、第１および第２の可動体を取外した状態で示す正面図である。
【図７】実施例に係る可動式演出装置を背面側から視た状態を示す斜視図である。
【図８】実施例に係る可動式演出装置における第１の可動体を動作させた状態を示す説明図である。
【図９】実施例に係る各モータおよび位置検出センサと、制御装置との関係を概略で示す説明図である。
【符号の説明】
【００４１】
１０  遊技盤，１７  図柄表示装置，２０  装飾部材，２６  下ガイド部(ガイド部)
２８  第１ローラ(転動部材)，  ３６  第１の可動体，  ３７  第２の可動体
４０  第１のモータ(第１の駆動手段)，４０ａ  第１カム板(別のカム板)
４０ｂ  偏心軸(別のカム板の偏心軸)，４１  第２のモータ(第２の駆動手段) 
４１ａ  第２カム板(カム板)，４１ｂ  偏心軸(カム板の偏心軸)，４３  第１連繋部材
４３ａ  第１カム孔(第１連繋部材に形成されたカム孔)，４４  連結部
５０  ケース体，５２  第２ローラ(転動部材)，５５  上ガイド部(ガイド部)
５７  第２連繋部材，５７ａ  第２カム孔(第２連繋部材に形成されたカム孔)
５７ｂ  挿通孔，６２  支持軸
【図１】
0004728733.tif 000002
【図２】
0004728733.tif 000003
【図３】
0004728733.tif 000004
【図４】
0004728733.tif 000005
【図５】
0004728733.tif 000006
【図６】
0004728733.tif 000007
【図７】
0004728733.tif 000008
【図８】
0004728733.tif 000009
【図９】
0004728733.tif 000010